(57)【要約】【課題】主食材と副食材からなる丼弁当を購入してから自宅等に持ち帰るまでの間に、副食材の汁成分を主食材が吸収して味が落ちるのを防止できるようにした持ち帰り用丼容器及び持ち帰り用丼弁当を提供する。【解決手段】上方に開口部を有する主容器１と前記主容器１を上方から包み込むようにして覆う形状を成し、前記主食材８と前記副食材９とを全量収容できる容積を持つ蓋部材２からなり、米飯等の主食材８と汁成分１０を含む副食材９をあわせてなる丼食材を収容する持ち帰り用丼容器であって、前記主容器１の底部４に、前記副食材９の汁成分１０を収容するための陥没した汁溜り部３を設ける。【選択図】図１
2006062730.tif 000002
【特許請求の範囲】
【請求項１】
上方に開口部を有する主容器と前記主容器を上方から覆う蓋部材からなり、米飯等の主食材と汁成分を含む副食材をあわせてなる丼食材を収容する持ち帰り用丼容器であって、
前記主容器の底部に、前記副食材の汁成分を収容するための陥没した汁溜り部を設けたことを特徴とする持ち帰り用丼容器。
【請求項２】
上方に開口部を有する主容器と前記主容器を上方から覆う蓋部材からなり、米飯等の主食材と汁成分を含む副食材をあわせてなる丼食材を収容する持ち帰り用丼容器であって、
前記主容器の底部から若干上方に、前記副食材の汁成分が通過するための通過孔を設けた汁きり板を配置したことを特徴とする持ち帰り用丼容器。
【請求項３】
前記蓋部材は、前記主容器を上方から包み込むようにして覆う形状を成し、前記主食材と前記副食材とを全量収容できる容積を持つことを特徴とする請求項１又は請求項２に記載の持ち帰り用丼容器。
【請求項４】
前記汁きり板を複数の分割板に分割し、前記各分割板の一辺のみを前記主容器側面に接合して前記主容器の開口部方向に折曲可能とし、かつ前記主容器の底部に前記各分割板と当接する支持台を設けて前記各分割板を前記主容器の底部方向に折曲不可能としたことを特徴とする請求項２に記載の持ち帰り用丼容器。
【請求項５】
米飯等の主食材と汁成分を含む副食材をあわせてなる丼食材を持ち帰り用丼容器に収容した持ち帰り用丼弁当であって、
前記持ち帰り用丼容器は、上方に開口部を有し底部に前記副食材の汁成分を収容するための陥没した汁溜り部を設けた主容器と、前記主容器を上方から覆う蓋部材とからなり、
前記主容器に前記副食材を収容し、その上から前記主食材を収容し、さらに前記蓋部材により蓋をしたことを特徴とする持ち帰り用丼弁当。
【請求項６】
米飯等の主食材と汁成分を含む副食材をあわせてなる丼食材を持ち帰り用丼容器に収容した持ち帰り用丼弁当であって、
前記持ち帰り用丼容器は、上方に開口部を有し底部から若干上方に前記副食材の汁成分が通過するための通過孔を設けた汁きり板を配置した主容器と、前記主容器を上方から覆う蓋部材とからなり、
前記主容器に前記副食材を収容し、その上から前記主食材を収容し、さらに前記蓋部材により蓋をしたことを特徴とする持ち帰り用丼弁当。
【請求項７】
前記蓋部材は、前記主容器を上方から包み込むようにして覆う形状を成し、前記主食材と前記副食材とを全量収容できる容積を持ち、前記主容器と前記蓋部材を上下反転させて、前記主食材と前記副食材を前記蓋部材に収容せしめた後に食事可能にしたことを特徴とする請求項５又は請求項６に記載の持ち帰り用丼弁当。
【発明の詳細な説明】
【技術分野】
【０００１】
本発明は、牛丼等の丼食材を持ち帰るための持ち帰り用丼容器、及び持ち帰り用丼容器に収容した持ち帰り用丼弁当に関する。
【背景技術】
【０００２】
従来、牛丼等の丼食材を提供する店舗においては、顧客の要求に応じて持ち帰り用の丼弁当の販売も行っている。
この場合、例えば図１１に示すように、発泡スチロールやプラスチック等から作られた主容器１００に米飯等の主食材８を入れ、その上に副食材９をのせ、最後に蓋部材２００により蓋をして、持ち帰り用丼弁当として顧客に販売している。
ここで一般的に副食材９は、牛肉と野菜を煮込んだ牛丼の具や、野菜等を炒めてあんでからめた中華丼の具のように汁成分を含んでいることが多く、顧客が購入してから自宅等に持ち帰るまでの間に、主食材８が副食材９の汁成分を吸収して歯ごたえが損なわれたり風味が低下したりして、店舗で食べる場合と比べて著しく味が落ちるという問題が生じていた。
【０００３】
こうした副食材の汁成分を主食材が吸収するという問題を解決するものとして、例えば特許文献１には、主食材を下側に副食材を上側に配置した容器入り冷凍調理食品を、上下反転させて電子レンジにより解凍加熱し、解凍加熱後に再び上下反転させて元に戻してから食べるという発明が開示されている。
【特許文献１】特許第３４４５８３６号公報
【発明の開示】
【発明が解決しようとする課題】
【０００４】
ここで、持ち帰り用丼弁当の味を落とさないために、特許文献１に開示された発明のように、主食材８と副食材９を上下反転させる場合には次のように行うことができる。
即ち、最初に副食材９を主容器１００に入れ、その上に主食材８を入れ、最後に蓋部材２００により蓋をして販売する。そして、顧客は自宅等に持ち帰って、蓋を開けてそのまま食べるか、ひっくり返して別の器に移し替えて食べる。
【０００５】
しかしながら、特許文献１に記載された発明のような冷凍食品の場合と異なり、持ち帰り用丼弁当の場合には、副食材９は固まっておらず常に流動状態にあり、たとえ副食材９を下側に主食材８を上側に配置したとしても、長時間経過すれば主食材８の副食材９と接する部分が汁成分を吸収するのを避けることはできない。
また、副食材９を下側に主食材８を上側に配置した状態で蓋を開けてそのまま食べると、副食材９になかなかたどり着かず、丼弁当本来の味を楽しむことができない。
さらに、ひっくり返して別の器に移し替えて食べるのは煩雑である。
【０００６】
一方、主食材８と副食材９を最初から別々の容器に入れて販売し、顧客が自宅等で主食材８の上に副食材９を乗せて食べるという方法もあるが、別々の容器に入れることは、販売店側、顧客側の双方にとって煩雑である。
【０００７】
そこで、本発明は上記従来の課題を解決するためのものであり、主食材と副食材からなる丼弁当を購入してから自宅等に持ち帰るまでの間に、副食材の汁成分を主食材が吸収して味が落ちるのを防止できるようにした持ち帰り用丼容器及び持ち帰り用丼弁当を提供することを目的とする。
【課題を解決するための手段】
【０００８】
上記従来の課題を解決するために、請求項１に係る発明の持ち帰り用丼容器は、上方に開口部を有する主容器（１）と前記主容器（１）を上方から覆う蓋部材（２）からなり、米飯等の主食材（８）と汁成分（１０）を含む副食材（９）をあわせてなる丼食材を収容する持ち帰り用丼容器であって、前記主容器（１）の底部（４）に、前記副食材（９）の汁成分（１０）を収容するための陥没した汁溜り部（３）を設けたことを特徴とする。
【０００９】
また、請求項２に係る発明の持ち帰り用丼容器は、上方に開口部を有する主容器（１）と前記主容器（１）を上方から覆う蓋部材（２）からなり、米飯等の主食材（８）と汁成分（１０）を含む副食材（９）をあわせてなる丼食材を収容する持ち帰り用丼容器であって、前記主容器（１）の底部（４）から若干上方に、前記副食材（９）の汁成分（１０）が通過するための通過孔（６）を設けた汁きり板（５）を配置したことを特徴とする。
【００１０】
また、請求項３に係る発明は、請求項１又は請求項２に記載の発明において、前記蓋部材（２）は、前記主容器（１）を上方から包み込むようにして覆う形状を成し、前記主食材（８）と前記副食材（９）とを全量収容できる容積を持つことを特徴とする。
【００１１】
また、請求項４に係る発明は、請求項２に記載の発明において、前記汁きり板（５）を複数の分割板（５ａ，５ａ）に分割し、前記各分割板（５ａ，５ａ）の一辺のみを前記主容器（１）側面に接合して前記主容器（１）の開口部方向に折曲可能とし、かつ前記主容器（１）の底部（４）に前記各分割板（５ａ，５ａ）と当接する支持台（７）を設けて前記各分割板（５ａ，５ａ）を前記主容器（１）の底部（４）方向に折曲不可能としたことを特徴とする。
【００１２】
また、請求項５に係る発明の持ち帰り用丼弁当は、米飯等の主食材（８）と汁成分（１０）を含む副食材（９）をあわせてなる丼食材を持ち帰り用丼容器に収容した持ち帰り用丼弁当であって、前記持ち帰り用丼容器は、上方に開口部を有し底部（４）に前記副食材（９）の汁成分（１０）を収容するための陥没した汁溜り部（３）を設けた主容器（１）と、前記主容器（１）を上方から覆う蓋部材（２）とからなり、前記主容器（１）に前記副食材（９）を収容し、その上から前記主食材（８）を収容し、さらに前記蓋部材（２）により蓋をしたことを特徴とする。
【００１３】
また、請求項６に係る発明の持ち帰り用丼弁当は、米飯等の主食材（８）と汁成分（１０）を含む副食材（９）をあわせてなる丼食材を持ち帰り用丼容器に収容した持ち帰り用丼弁当であって、前記持ち帰り用丼容器は、上方に開口部を有し底部（４）から若干上方に前記副食材（９）の汁成分（１０）が通過するための通過孔（６）を設けた汁きり板（５）を配置した主容器（１）と、前記主容器（１）を上方から覆う蓋部材（２）とからなり、前記主容器（１）に前記副食材（９）を収容し、その上から前記主食材（８）を収容し、さらに前記蓋部材（２）により蓋をしたことを特徴とする。
【００１４】
また、請求項７に係る発明は、請求項５又は請求項６に記載の発明において、前記蓋部材（２）は、前記主容器（１）を上方から包み込むようにして覆う形状を成し、前記主食材（８）と前記副食材（９）とを全量収容できる容積を持ち、前記主容器（１）と前記蓋部材（２）を上下反転させて、前記主食材（８）と前記副食材（９）を前記蓋部材（２）に収容せしめた後に食事可能にしたことを特徴とする。
【００１５】
なお、括弧内の記号は、発明を実施するための最良の形態および図面に記載された対応要素または対応事項を示す。
【発明の効果】
【００１６】
請求項１に記載の発明によれば、米飯等の主食材と汁成分を含む副食材をあわせてなる丼食材を収容する持ち帰り用丼容器の主容器の底部に、副食材の汁成分を収容するための陥没した汁溜り部を設けているので、副食材から汁成分を分離して汁溜り部に収容することができる。
即ち、主容器に副食材を入れると、副食材中の汁成分は底部の窪みである汁溜り部に流れ出すので副食材から分離することができるのである。
従って、米飯等の主食材と副食材が接しても、副食材の汁成分を主食材が吸収しにくくなり、丼食材の味が落ちるのを防止することができる。
【００１７】
また、請求項２に記載の発明によれば、米飯等の主食材と汁成分を含む副食材をあわせてなる丼食材を収容する持ち帰り用丼容器の主容器の底部から若干上方に、副食材の汁成分が通過するための通過孔を設けた汁きり板を配置しているので、副食材から汁成分を分離して汁成分を主容器の底部と汁きり板との間に収容することができる。
即ち、主容器に副食材を入れると、副食材中の汁成分は汁きり板の通過孔を通して主容器の底部と汁きり板との間の空間に収容され、副食材自体は汁きり板上に残るので、汁成分を副食材から分離することができるのである。
従って、米飯等の主食材と副食材が接しても、副食材の汁成分を主食材が吸収しにくくなり、丼食材の味が落ちるのを防止することができる。
【００１８】
また、請求項３に記載の発明によれば、請求項１又は請求項２に記載の発明の作用効果に加えて、持ち帰り用丼容器の蓋部材を、主容器を上方から包み込むようにして覆う形状とし、主食材と副食材とを全量収容できる容積を持つようにしているので、丼弁当を食べるときの容器として蓋部材を用いることができる。
従って、主容器側に収容して持ち帰った丼弁当を、食べる前に上下反転させて蓋部材側に収容して食べることができるので、別の器を用意する必要がなく手間を省くことができる。
【００１９】
また、請求項４に記載の発明によれば、請求項２に記載の発明の作用効果に加えて、汁きり板を複数の分割板に分割し、各分割板の一辺のみを主容器側面に接合するとともに、主容器の底部に各分割板と当接する支持台を設けているので、汁きり板を主容器の開口部方向に折曲可能とし、主容器の底部方向に折曲不可能とすることができる。
従って、主容器に副食材を収容するときには汁きり板は開かず、副食材から汁成分を分離することができ、逆に食べる前に主容器を上下反転させるときには汁きり板が開くので、主食材と副食材の上に汁成分が落ちるのを容易にすることができる。
【００２０】
また、請求項５に記載の発明によれば、上方に開口部を有し底部に副食材の汁成分を収容するための陥没した汁溜り部を設けた主容器に副食材を収容すると、副食材中の汁成分は底部の窪みである汁溜り部に流れ出すので副食材から分離することができる。
さらに、副食材の上から主食材を収容すると、副食材の汁成分は分離されているので、主食材に吸収されにくく、丼食材の味が落ちるのを防止することができる。
最後に、主容器を上方から覆う蓋部材により蓋をすると、副食材の汁成分を主食材が吸収して味が落ちるのを防止できるようにした持ち帰り用丼弁当が完成する。
そして、自宅等に持ち帰り後に主容器を上下反転させれば、主食材が下側に副食材が上側になるとともに、汁溜り部に収容した汁成分が上からふりかかり、作りたての丼弁当を味わうことができる。
【００２１】
また、請求項６に記載の発明によれば、上方に開口部を有し底部から若干上方に副食材の汁成分が通過するための通過孔を設けた汁きり板を配置した主容器に副食材を収容すると、副食材中の汁成分は汁きり板の通過孔を通して主容器の底部と汁きり板との間の空間に収容され、副食材自体は汁きり板上に残るので、汁成分を副食材から分離することができる。
さらに、副食材の上から主食材を収容すると、副食材の汁成分は分離されているので、主食材に吸収されにくく、丼食材の味が落ちるのを防止することができる。
最後に、主容器を上方から覆う蓋部材により蓋をすると、副食材の汁成分を主食材が吸収して味が落ちるのを防止できるようにした持ち帰り用丼弁当が完成する。
そして、自宅等に持ち帰り後に主容器を上下反転させれば、主食材が下側に副食材が上側になるとともに、主容器の底部と汁きり板との間の空間に収容した汁成分が上からふりかかり、作りたての丼弁当を味わうことができる。
【００２２】
また、請求項７に記載の発明によれば、請求項５又は請求項６に記載の発明の作用効果に加えて、持ち帰り用丼容器の蓋部材を、主容器を上方から包み込むようにして覆う形状とし、主食材と副食材とを全量収容できる容積を持つようにしているので、丼弁当を食べるときの器として蓋部材を用いることができる。
従って、主容器側に収容して持ち帰った丼弁当を、食べる前に上下反転させて蓋部材側に収容して食べることができるので、別の器を用意する必要がなく手間を省くことができる。
【発明を実施するための最良の形態】
【００２３】
次に、図１乃至図３を参照して、本発明の実施形態１に係る持ち帰り用丼容器及びその持ち帰り用丼容器に丼食材を収容した持ち帰り用丼弁当について説明する。
図１は本発明の実施形態１に係る持ち帰り用丼弁当の断面図であり、図２は図１の持ち帰り用丼弁当を上下反転した状態を示す断面図である。
また、図３は実施形態１に係る持ち帰り用丼容器の主容器の平面図である。
【００２４】
実施形態１に係る持ち帰り用丼容器は、図１に示すように、上方に開口部を有する主容器１と主容器１を上方から覆う蓋部材２から構成されている。
主容器１の底部４には、陥没した汁溜り部３が設けられている。この汁溜り部３は図３に示すように、四箇所の四角形の窪みからなっている。
一方、蓋部材２は主容器１を上方から包み込むようにして覆う形状を成しており、さらに主容器１に収容される主食材８と副食材９とを全量収容できる容積を有している。
より詳しくは、蓋部材２はその側面を主容器１の側面よりも外側に配置可能な大きさに形成され、かつ蓋部材２の側面が下方に長く形成されて主食材８と副食材９とを全量収容できる容積を確保できるようになっている。
なお、主容器１と蓋部材２はともに、発泡スチロールやプラスチックなどにより構成すれば、持ち帰り用丼容器として安価であり、またリサイクルも可能となるため好ましい。
また、実施形態１では図３に示すように主容器１の平面形状を四角形としているが、円形や楕円形など他の形状でもよい。
【００２５】
次に、実施形態１に係る持ち帰り用丼容器に丼食材を収容して持ち帰り用丼弁当を作り、さらにその丼弁当を食べる方法について説明する。
ここで用いる丼食材は、米飯等の主食材８と汁成分１０を含む副食材９をあわせてなるものであり、具体的には、牛肉と野菜を煮込んだ具をのせた牛丼や、野菜等を炒めてあんでからめた具をのせた中華丼等が該当する。
【００２６】
最初に主容器１に牛丼の具等の副食材９を所定量だけ入れる。このとき副食材９の汁成分１０は底部４の窪みである汁溜り部３に流れ出し副食材９から分離される。
次に、副食材９の上から米飯等の主食材８を入れる。こうすると、主食材８と副食材９が接しても、副食材９の汁成分１０は汁溜り部３に分離されているので主食材８に吸収されにくい。
最後に蓋部材２により蓋をして持ち帰り用丼弁当が完成する。
【００２７】
持ち帰り用丼弁当を自宅等に持ち帰り食べるときには、図２に示すように、主容器１と蓋部材２を上下反転させて、主食材８と副食材９を蓋部材２に収容せしめた後に、蓋部材２を器として食べる。
【００２８】
実施形態１に係る持ち帰り用丼容器及びその持ち帰り用丼容器に丼食材を収容した持ち帰り用丼弁当によれば、上方に開口部を有し底部４に副食材９の汁成分１０を収容するための陥没した汁溜り部３を設けた主容器１に副食材９を収容すると、副食材９中の汁成分１０は底部４の窪みである汁溜り部３に流れ出すので副食材９から分離することができる。
さらに、副食材９の上から主食材８を収容すると、副食材９の汁成分１０は分離されているので、主食材８に吸収されにくく、丼食材の味が落ちるのを防止することができる。
最後に主容器１を上方から覆う蓋部材２により蓋をすると、副食材９の汁成分１０を主食材８が吸収して味が落ちるのを防止できるようにした持ち帰り用丼弁当が完成する。
【００２９】
そして、自宅等に持ち帰り後に主容器１を上下反転させれば、主食材８が下側に副食材９が上側になるとともに、汁溜り部３に収容した汁成分１０が上からふりかかり、作りたての丼弁当を味わうことができる。
さらに、持ち帰り用丼容器の蓋部材２を、主容器１を上方から包み込むようにして覆う形状とし、主食材８と副食材９とを全量収容できる容積を持つようにしているので、丼弁当を食べるときの器として蓋部材２を用いることができる。
従って、主容器１側に収容して持ち帰った丼弁当を、食べる前に上下反転させて蓋部材２側に収容して食べることができるので、別の器を用意する必要がなく手間を省くことができる。
【００３０】
なお、実施形態１では、図３に示すように汁溜り部３として四角形の窪みを四箇所設けているが、これに限らず例えば図４に示すように、より小さな窪みをより多く設けるような構成としても良い。また、四角形に限らず、円形や溝状の窪みとしてもよい。
この汁溜り部３は、収容する丼食材の具材の大きさや汁成分の粘度等にあわせて、大きさや数、形を好適なものとすることが好ましい。
【００３１】
次に、図５乃至図７を参照して、本発明の実施形態２に係る持ち帰り用丼容器及びその持ち帰り用丼容器に丼食材を収容した持ち帰り用丼弁当について説明する。
図５は本発明の実施形態２に係る持ち帰り用丼弁当の断面図であり、図６は図５の持ち帰り用丼弁当を上下反転した状態を示す断面図である。
また、図７は実施形態２に係る持ち帰り用丼容器の主容器の平面図である。
【００３２】
実施形態２に係る持ち帰り用丼容器は、実施形態１と同様に、上方に開口部を有する主容器１と主容器１を上方から覆う蓋部材２から構成されている。
ここで実施形態２と実施形態１では、主容器１の形状が異なる。
実施形態２に係る持ち帰り用丼容器の主容器１の底部４から若干上方には、通過孔６を設けた汁きり板５が配置されている。この汁きり板５は図７に示すように平板に円形の通過孔６を九箇所設けたものとなっている。
【００３３】
ここで、汁きり板５は、主容器１の製造時に一体成形することが好ましいが、適当な大きさの汁きり板５を別途製造し、既存の主容器１の上方から入れ込んで底部４の若干上方に配置することも可能である。
なお、図７に示すように実施形態２では主容器１の平面形状を四角形としているが、円形や楕円形など他の形状でもよい。
【００３４】
次に、実施形態２に係る持ち帰り用丼容器に丼食材を収容して持ち帰り用丼弁当を作り、さらにその丼弁当を食べる方法について説明する。
最初に主容器１に牛丼の具等の副食材９を所定量だけ入れる。このとき副食材９の汁成分１０は汁きり板５の通過孔６を通して主容器１の底部４と汁きり板５との間の空間に収容され副食材９から分離される。
次に、副食材９の上から米飯等の主食材８を入れる。こうすると、主食材８と副食材９が接しても、副食材９の汁成分１０は主容器１の底部４と汁きり板５との間の空間に分離されているので主食材８に吸収されにくい。
最後に蓋部材２により蓋をして持ち帰り用丼弁当が完成する。
【００３５】
持ち帰り用丼弁当を自宅等に持ち帰り食べるときには、図６に示すように、主容器１と蓋部材２を上下反転させて、主食材８と副食材９を蓋部材２に収容せしめた後に、蓋部材２を器として食べる。
【００３６】
実施形態２に係る持ち帰り用丼容器及びその持ち帰り用丼容器に丼食材を収容した持ち帰り用丼弁当によれば、上方に開口部を有し底部４から若干上方に副食材９の汁成分１０が通過するための通過孔６を設けた汁きり板５を配置した主容器１に副食材９を収容すると、副食材９中の汁成分１０は汁きり板５の通過孔６を通して主容器１の底部４と汁きり板５との間の空間に収容され、副食材９自体は汁きり板５上に残るので、汁成分１０を副食材９から分離することができる。
さらに、副食材９の上から主食材８を収容すると、副食材９の汁成分１０は分離されているので、主食材８に吸収されにくく、丼食材の味が落ちるのを防止することができる。
最後に主容器１を上方から覆う蓋部材２により蓋をすると、副食材９の汁成分１０を主食材８が吸収して味が落ちるのを防止できるようにした持ち帰り用丼弁当が完成する。
【００３７】
そして、自宅等に持ち帰り後に主容器１を上下反転させれば、主食材８が下側に副食材９が上側になるとともに、主容器１の底部４と汁きり板５との間の空間に収容した汁成分１０が汁きり板の通過孔６を通して上からふりかかり、作りたての丼弁当を味わうことができる。
さらに、持ち帰り用丼容器の蓋部材２を、主容器１を上方から包み込むようにして覆う形状とし、主食材８と副食材９とを全量収容できる容積を持つようにしているので、丼弁当を食べるときの器として蓋部材２を用いることができる。
従って、主容器１側に収容して持ち帰った丼弁当を、食べる前に上下反転させて蓋部材２側に収容して食べることができるので、別の器を用意する必要がなく手間を省くことができる。
【００３８】
なお、実施形態２では、図７に示すように汁きり板５に円形の通過孔６を九箇所設けているが、これに限らず例えば図８に示すように、より小さな通過孔６をより多く設けるような構成としても良い。また、円形に限らず、四角形等としてもよい。
この通過孔６は、収容する丼食材の具材の大きさや汁成分の粘度等にあわせて、大きさや数、形を好適なものとすることが好ましい。
【００３９】
次に、図９乃至図１０を参照して、本発明の実施形態３に係る持ち帰り用丼容器及びその持ち帰り用丼容器に丼食材を収容した持ち帰り用丼弁当について説明する。
図９は本発明の実施形態３に係る持ち帰り用丼容器の主容器の平面図であり、図１０は実施形態３に係る持ち帰り用丼弁当を上下反転した状態を示す断面図である。
【００４０】
実施形態３に係る持ち帰り用丼容器は、実施形態２に係るものとほぼ同様であるが、以下の点が異なる。
図９に示すように、実施形態３に係る持ち帰り用丼容器の主容器１には、実施形態２と同様の汁きり板５が配置されているが、汁きり板５は複数の分割板５ａ，５ａに分割され、各分割板５ａ，５ａの一辺のみが主容器１の側面に折曲可能な状態で接合されている。
さらに、主容器１の底部４に各分割板５ａ，５ａと当接する支持台７を設けて各分割板５ａ，５ａを主容器１の底部４方向に折曲不可能としている。
【００４１】
実施形態３に係る持ち帰り用丼容器に丼食材を収容して持ち帰り用丼弁当を作り、さらにその丼弁当を食べる方法は実施形態２に係るものと同様である。
【００４２】
実施形態３に係る持ち帰り用丼容器及びその持ち帰り用丼容器に丼食材を収容した持ち帰り用丼弁当によれば、汁きり板５を複数の分割板５ａ，５ａに分割し、各分割板５ａ，５ａの一辺のみを主容器１の側面に接合するとともに、主容器１の底部４に各分割板５ａ，５ａと当接する支持台７を設けているので、汁きり板５を主容器１の開口部方向に折曲可能とし、主容器１の底部４方向に折曲不可能とすることができる。
従って、主容器１に副食材９を収容するときには汁きり板５は開かず、副食材９から汁成分１０を分離することができ、逆に食べる前に主容器１を上下反転させるときには汁きり板５が開くので、主食材８と副食材９の上に汁成分１０が落ちるのを容易にすることができる。
【００４３】
なお、実施形態３では、汁きり板５を二枚に分割したが、これに限らずより多くの分割板に分割することも可能である。
【００４４】
また、実施形態１乃至実施形態３では、蓋部材２を、主容器１を上方から包み込むようにして覆う形状とし、主食材８と副食材９とを全量収容できる容積を持つようにして、食べるときの器として使用できる構成としているが、従来より用いられるような容量の小さい蓋部材２を用いて持ち帰り用丼弁当をつくり、食べるときは主容器１を上下反転させて、家庭の丼などの別容器に盛り付けて食べることも可能である。
【図面の簡単な説明】
【００４５】
【図１】実施形態１に係る持ち帰り用丼弁当の断面図である。
【図２】実施形態１に係る持ち帰り用丼弁当を上下反転した状態を示す断面図である。
【図３】実施形態１に係る主容器の平面図である。
【図４】別の実施形態に係る主容器の平面図である。
【図５】実施形態２に係る持ち帰り用丼弁当の断面図である。
【図６】実施形態２に係る持ち帰り用丼弁当を上下反転した状態を示す断面図である。
【図７】実施形態２に係る主容器の平面図である。
【図８】別の実施形態に係る主容器の平面図である。
【図９】実施形態３に係る主容器の平面図である。
【図１０】実施形態３に係る持ち帰り用丼弁当を上下反転した状態を示す断面図である。
【図１１】従来例に係る持ち帰り用丼弁当の断面図である。
【符号の説明】
【００４６】
１      主容器
２      蓋部材
３      汁溜り部
４      底部
５      汁きり板
５ａ      分割板
７      支持台
８      主食材
９      副食材
１０      汁成分
【図１】
2006062730.tif 000003
【図２】
2006062730.tif 000004
【図３】
2006062730.tif 000005
【図４】
2006062730.tif 000006
【図５】
2006062730.tif 000007
【図６】
2006062730.tif 000008
【図７】
2006062730.tif 000009
【図８】
2006062730.tif 000010
【図９】
2006062730.tif 000011
【図１０】
2006062730.tif 000012
【図１１】
2006062730.tif 000013